(57)【要約】【課題】仕上がりの見栄えを向上できるとともに、施工性に優れるタイル仕上面の電気機器取付構造を提供する。【解決手段】定形で矩形状のタイルが縦横に並んで取付けられるタイル下地面に直接固着される基台と、この基台の前面を覆うとともに基台に固着される取付け台と、この取付け台に固定される電気機器とを具え、前記基台は、タイル下地面から延出して電気機器に接続される導線を挿通するとともに、導線の通過位置を調整しうる充分な大きさに形成された配線開口を有し、かつ上下の寸法が前記タイルの上下寸法の整数倍の大きさに形成されたことを特徴とする。【選択図】図１
2007209067.tif 000002
【特許請求の範囲】
【請求項１】
定形で矩形状のタイルが縦横に並んで取付けられるタイル下地面に直接固着される基台と、この基台の前面を覆うとともに基台に固着される取付け台と、この取付け台に固定される電気機器とを具え、
前記基台は、タイル下地面から延出して電気機器に接続される導線を挿通するとともに、導線の通過位置を調整しうる充分な大きさに形成された配線開口を有し、かつ上下の寸法が前記タイルの上下寸法の整数倍の大きさに形成されたことを特徴とするタイル仕上面の電気機器取付構造。
【請求項２】
前記基台は、タイル下地に向く背面の周縁部とタイル下地との間に第１の水密材を介装するとともに、配線開口の周縁部と取付け台との間に第２の水密材を介装することを特徴とする請求項１記載のタイル仕上面の電気機器取付構造。
【請求項３】
前記基台は、タイル厚さと略同厚さに形成されることを特徴とする請求項１又は２記載のタイル仕上面の電気機器取付構造。
【請求項４】
前記第１、第２の水密材は、タイル厚さと基台の厚さの差によって生じる、基台とタイル下地との隙間、及び基台と取付け台との隙間を封止しうる厚さを有することを特徴とする請求項１〜３のいずれかに記載のタイル仕上面の電気機器取付構造。
【発明の詳細な説明】
【技術分野】
【０００１】
本発明は、玄関廻りなど外壁のタイル仕上げ面に、簡単迅速な施工により電気機器類を見栄え良く取付けできるタイル仕上面の電気機器取付構造に関する。
【背景技術】
【０００２】
タイル仕上げされた玄関付近などの外壁面に、照明器具、インターホン、監視カメラなどの電気機器類を取り付ける場合が多くある。しかも特に玄関廻りは、人目に付き易いことから、外観を損なわないようにこれらの電気機器類を取り付けることが重要である。しかしながら、電気機器類に向けてのびる導線の配線工程と、タイル仕上げ工程と、電気機器類の取付け工程とは、職種が異なることから時期がずれて施工される。そして施工現場において、各工程間の連係を図ることは困難な状況から、一般には先ず配線工程によって導線をタイル下地から延出させておき、次にタイル仕上げ工程において、この導線を避けて全面のタイル貼り作業を完了し、更に電気機器類の取付け工程において機器取り付けに必要な領域のタイルを切断すると共にこれを剥がして、その部分に電気機器を固着する手順によって工事されている。
【０００３】
従って、連続仕上げされたタイルを部分的に剥がすなど手間のかかる作業が必要となるため、施工性が悪いとともに工期が長引くという問題がある。しかも、壁下地から延出した導線の位置に合わせて電気機器類を配置することから、複数枚のタイルを複雑な形状に切断剥離する作業が要求され、施工に一層手間がかかるとともに見栄えを低下させるという問題を抱えていた。
【０００４】
そこで本出願人は、タイルの目地部分に専用の取付金具を取付け、この金具によって電気機器類を固着する装置を提案した（例えば、特許文献１参照）。
【０００５】
【特許文献１】特開２０００−１０４３５７号公報
【発明の開示】
【発明が解決しようとする課題】
【０００６】
この装置を使用すると、連続して仕上げされたタイルを剥がすことなく電気機器類を取り付けることができるため、施工性に優れると共に外観を維持することができる。しかしながら、細長い目地部分に固定された取付金具は、その支持強度が必ずしも安定したものではなく、更なる改善が要望されていた。
【０００７】
本発明は、タイル下地面に直接固着される基台と、この基台の前面を覆って基台に固着される取付け台を用いることを基本とし、仕上がりの見栄えを向上できるとともに、施工性に優れるタイル仕上面の電気機器取付構造の提供を課題としている。
【課題を解決するための手段】
【０００８】
前記目的を達成するために、請求項１に係る発明では、定形で矩形状のタイルが縦横に並んで取付けられるタイル下地面に直接固着される基台と、この基台の前面を覆うとともに基台に固着される取付け台と、この取付け台に固定される電気機器とを具え、前記基台は、タイル下地面から延出して電気機器に接続される導線を挿通するとともに、導線の通過位置を調整しうる充分な大きさに形成された配線開口を有し、かつ上下の寸法が前記タイルの上下寸法の整数倍の大きさに形成されたことを特徴とする。
【０００９】
請求項２に係る発明では、前記基台は、タイル下地に向く背面の周縁部とタイル下地との間に第１の水密材を介装するとともに、配線開口の周縁部と取付け台との間に第２の水密材を介装し、また請求項３に係る発明においては、前記基台は、タイル厚さと略同厚さに形成されることを特徴とする。
【００１０】
請求項４に係る発明では、前記第１、第２の水密材は、タイル厚さと基台の厚さの差によって生じる、基台とタイル下地との隙間、及び基台と取付け台との隙間を封止しうる厚さを有することを特徴とする。
【発明の効果】
【００１１】
請求項１に係る発明においては、タイル下地面に直接固着される基台の上下寸法が、タイルの上下寸法の整数倍の大きさに形成されるとともに、基台は導線の通過位置を調整しうる充分な大きさの配線開口を有することから、少なくとも上下方向に関しては、基台の取付け位置をタイルの目地間に配置することができる。そのため、タイルを上下方向の中間で切断して、割り付ける必要が無く、仕上がりの見栄えを向上できるとともに、施工性に優れる。
【００１２】
タイル仕上げの一部を除去した領域に配置された基台は取付け台に覆われることから、基台とタイルの間の隙間が隠れるため、外観が向上するとともに、その隙間に雨水が直接降りかかることを防止できるため、壁内部への雨水の浸入を防止しうる。
【００１３】
請求項２に係る発明のように、基台のタイル下地に向く背面の周縁部とタイル下地との間に第１の水密材を、また配線開口の周縁部と取付け台との間に第２の水密材を、各々介装すると、基台の配線開口内部の空間が密封されるため、タイル下地面に形成された導線挿通用の配線孔から、雨水が壁内部へ浸入することを防止できる。
【００１４】
請求項３に係る発明のように、前記基台をタイル厚さと略同厚さに形成すると、この基台を覆って固着される取付け台が、タイルの表面に載置した状態で取付けられるため、見栄えが向上するとともに、壁内部への雨水の浸入を防止できる。
【００１５】
請求項４に係る発明のように、タイル厚さと基台の厚さの差によって生じる、基台とタイル下地との隙間、及び基台と取付け台との隙間を封止しうる厚さの第１、第２の水密材を使用すると、取付け台がタイル表面に密着して固着されるため、外観が向上するとともに、壁内部への雨水の浸入を防止できる。
【発明を実施するための最良の形態】
【００１６】
以下、本発明の実施の一形態を、図示例とともに説明する。図１に示すように、タイル仕上面の電気機器取付構造１は、タイル仕上げされる壁Ｗに対して電気機器６を取付けるために採用されるもので、タイル下地面３に直接固着される基台４と、この基台４に固着される取付け台５と、電気機器６とを具える。
【００１７】
前記壁Ｗには、玄関、勝手口周囲の外壁のほか、門を構成する壁体、浴室、厨房、洗面所などの水廻りスペースの壁も含まれる。そしてタイル下地面３は、この壁Ｗを構成する壁板、或いはモルタル仕上げなどの外表面によって構成される。
【００１８】
またこの壁Ｗは、意匠性向上のため、及び防汚性、防水性のためにタイル仕上げされる。この仕上げには、定形で矩形状のタイル２が使用される。またこのタイル２としては、小口平、二丁掛、三丁掛、四丁掛などの長矩形のタイル、１００角、２００角などの正方形状のタイルが含まれるが、異形状、乱形のタイルは使用されない。またその材質としては、吸水率の低い磁器質のもの、又は十分に焼きしめられたせっ器質のものが用いられる。
【００１９】
そしてこれらタイル２は、前記タイル下地面３の上に縦横に並べて配置し、図１に示される馬踏み目地のほか、たて馬目地、通し目地、たて芋目地などを構成して割付けされ、かつタイル接着剤、モルタルなどを用いてタイル下地面３に貼着される。なお方形のタイルを斜めに配したやはず張りなどの配置は除外される。
【００２０】
前記基台４は、矩形の厚板状をなす。また本形態の基台４は図２、４に示すように、縦に長い基板部２１と、その両側縁が裏側へ直角に折れ曲がった側板部２２、２２と、上下縁から裏側へ直角に折れ曲がった上板部２３、下板部２４とを含む薄箱体２５により形成される。そしてこの薄箱体２５は、双方の側板部２２、２２の後端から各々外側へ小長さでのびる外フランジ２６と、上板部２３、下板部２４の後端から各々内側へ小長さでのびる内フランジ２７とが形成される。しかも外フランジ２６及び内フランジ２７は同一面上に配されるため、基台４がタイル下地面３上に安定して固着される点で好ましい。また基板部２１には、四隅に螺孔２９が形成され、他方外フランジ２６の上下端部には通孔３０が形成される。
【００２１】
この基台４は、その上下の外形寸法ＬＶ１が前記タイル２の上下寸法の整数倍の大きさに形成される。例えば本形態では、二丁掛のタイル２（２２７×６０ｍｍ）が使用されるため、その上下寸法（６０ｍｍ）の２倍である１２０ｍｍの大きさに形成される。勿論、１倍の６０ｍｍ、或いは３倍の１８０ｍｍの基台４を用いることもできる。他方図２、３に示すように、本形態の基台４は、前記タイル２の厚さと略同厚さに形成される。
【００２２】
また前記薄箱体２５の基板部２１の中央には、縦長の配線開口８が形成される。この配線開口８は、タイル２の割付けに合わせて基台４を配置する時、タイル下地面３から延出する導線７が無理なく挿通できる大きさに形成され、上下方向の寸法ＬＶ２が、例えば３０〜１２０ｍｍ程度、好ましくは５０〜１００ｍｍ、本形態では７５ｍｍとし、横方向の寸法ＬＨは、例えば２０〜１００ｍｍ程度、好ましくは３５〜７５ｍｍ、本形態では５０ｍｍとしている。さらに前記配線開口８の周縁には、後側に向けて断落ちした環状受部２８が形成される。
【００２３】
前記基台４は、ポリエチレン樹脂、ポリプロピレン樹脂、ポリスチレン樹脂、ＡＢＳ樹脂、ポリエチレンテレフタレート（ＰＥＴ）などの熱可塑性樹脂を使用し、押し出し成形、ブロー成形、射出成形などの成形方法を用いて製造される。また炭素鋼、ステンレス鋼、合金鋼を含む鉄鋼材料、或いはアルミニウム、真鍮、銅、チタンなどの金属材料を用いてプレス成形方法によって製造することもできる。
【００２４】
このように形成された基台４は、図１、３に示すように、予め壁下地板３１を挿通してタイル下地面３から延出する導線７を前記配線開口８を通して外部に延出させた位置に配置すると共に、前記外フランジ２６の通孔３０に挿通したビスなどの固着具３６を壁下地板３１へネジ込むことにより固着される。このとき、基台４の上下外形寸法ＬＶ１が、タイル２の上下寸法の整数倍（本形態では２倍）の大きさに形成されるとともに、配線開口８は導線７の通過位置を調整しうる充分な大きさを有することから、基台４を配置する割り付けのため、タイル２を上下方向の中間で切断する必要がないため、仕上がりの見栄えを向上できるとともに、施工性に優れる。なお図５の（Ａ）（Ｂ）（Ｃ）は、各々異なる導線７の位置に対応して、基台４の位置を上下左右両方向に調整することによって、上下の横目地間に基台４を納めた種々の配置例を示している。
【００２５】
前記取付け台５は、図１、２に示すように、略圧板状をなすとともに壁面方向において基台４よりも一回り大きく形成され、前面の略中央に電気機器６を取付ける支持部３２を突設するとともに、四隅に取付け孔３３が形成される。そして、取付け孔３３に挿通されるビスなどの固着具３４を、前記基台４の螺孔２９に螺入することにより取付け台５を固着する。このとき、基台４よりも一回り大きく形成された取付け台５が、基台４を覆うことにより基台４とタイル２の間の隙間が隠れるため、外観を向上できるとともに、その隙間に雨水が直接降りかかることを防止するため、雨水が壁内部への浸入を阻止できる。
【００２６】
前記の如く、基台４はタイル２の厚さと略同厚さを有するため、基台４を覆って固着される取付け台５はタイル２の表面に沿って載置した状態で隙間なく取付けられ、その結果見栄えが向上するとともに、壁内部への雨水の浸入を防ぐことができる。
【００２７】
本形態では更に図２、３に示すように、基台４の外フランジ２６及び内フランジ２７とタイル下地面３との間に第１の水密材９を介装するとともに、配線開口８の周縁の環状受部２８と取付け台５との間に第２の水密材１０を介装している。これら水密材は、クロロプレンゴム( ＣＲ）、スチレン・ブタジエンゴム（ＳＢＲ）、イソプレンゴム（ＩＲ）を含むゴム、スチレン系・オレフィン系・ウレタン系・ポリエステル系その他の熱可塑性エラストマー、エチレン酢酸ビニル共重合体（ＥＶＡ）などの弾性材、ポリエチレンフォーム、ポリスチレンフォーム、硬質ウレタンフォーム、発泡フェノールなどの発泡樹脂を用いて形成される。このように第１、第２の水密材９、１０を配すると、基台４の配線開口８の内部の水密状態が維持されるため、タイル下地面３に形成された導線挿通用の配線孔から、雨水が壁内部へ浸入することを防止できる。
【００２８】
基台４がタイル２よりも厚く形成されると、取付け台５が押し上げられる結果、タイル２表面との間に隙間を生じてしまう。そこで基台４はタイル２よりもやや薄く形成することが望ましい。しかしこの場合には逆に、タイル下地面３と基台との間、及び基台４と取付け台５との間に隙間が生じる。そこで本形態では、第１、第２の水密材９、１０の厚さの合計を、前記タイル２の厚さと基台４の厚さに差に合わせて形成している。そのため、取付け台５はタイル２の表面に密着して固着され、外観が向上するとともに、壁内部への雨水の浸入を防止できる点で好ましい。
【００２９】
また図６に示すように、厚手のタイル２を採用した場合には、前記隙間はその分大きくなる。しかし本形態では、これに対応して厚さの大きな第２の水密材１０を使用することにより、隙間を封止して水密性を維持している。このようして、厚さの異なるタイル２を使用した場合にも、第１、第２の水密材９、１０の厚さの調整により、隙間発生を防止できる。
【００３０】
前記電気機器６は、本形態では防犯用の監視カメラ３５が例示され、その後端部が前記支持部３２に支持され、前面のレンズを監視する方向に向けて取り付けられている。電気機器６としては、照明器具、アンテナ、インタホンなど各種のものが採用できる。
【００３１】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３２】
【図１】本発明の一実施の形態を例示する分解斜視図である。
【図２】その縦断面図である。
【図３】その横断面図である。
【図４】その要部拡大斜視図である。
【図５】（Ａ）（Ｂ）（Ｃ）は、各々異なる基台の配置を例示する略図である。
【図６】図は他の実施形態を例示する縦断面図である。
【符号の説明】
【００３３】
１      タイル仕上面の電気機器取付構造
２      タイル
３      タイル下地面
４      基台
５      取り付け台
６      電気機器
７      導線
８      配線開口
９      第１の水密材
１０      第２の水密材
【図１】
2007209067.tif 000003
【図２】
2007209067.tif 000004
【図３】
2007209067.tif 000005
【図４】
2007209067.tif 000006
【図５】
2007209067.tif 000007
【図６】
2007209067.tif 000008